(57)【要約】【課題】携帯性、即時性、および視認性を備えつつ、検索を要することなく閲覧を所望する情報を得ること。【解決手段】複合機１００は、構成部の近傍に設けられ、構成部のＩＤを表示装置２００に送信するＲＦＩＤタグ１０１ａ〜１０６ａと、構成部のＩＤの認証が成功した旨を表示装置２００から受信する送受信部１１１と、マニュアルデータを取得する取得部１１０と、を備え、送受信部１１１は、マニュアルデータを表示装置２００に送信し、表示装置２００は、表示装置２００から送信された構成部のＩＤを検知するＲＦＩＤ検知部２２１と、構成部のＩＤの認証を行う認証部２２７と、構成部のＩＤの認証が成功した旨を複合機１００に送信し、マニュアルデータを複合機１００から受信する送受信部２２２と、受信したマニュアルデータを表示部２１１に表示する制御を行う表示制御部２２３と、を備えた。【選択図】        図１
2007274512.tif 000002
【特許請求の範囲】
【請求項１】
画像処理を行う画像処理装置と、前記画像処理装置と無線通信ネットワークで接続され、情報を表示する携帯可能な表示装置と、を備えた表示処理システムにおいて、
前記画像処理装置は、
少なくともプリンタ部またはスキャナ部を含む構成部と、
前記構成部の近傍に設けられ、前記構成部に固有の識別情報である構成部識別情報を記憶するとともに、前記構成部識別情報を前記表示装置に送信する情報記憶媒体と、
前記構成部に関する情報である関連情報と、前記構成部識別情報と前記関連情報の識別情報である関連識別情報とを対応付けた対応付情報と、を記憶する記憶手段と、
前記情報記憶媒体から送信された前記構成部識別情報の認証が成功した旨を、前記表示装置から受信する第１の送受信手段と、
前記第１の送受信手段によって前記情報記憶媒体から送信された前記構成部識別情報の認証が成功した旨を受信した場合、前記記憶手段から、認証が成功した前記構成部識別情報に対応した前記関連識別情報が示す前記関連情報を取得する取得手段と、を備え、
前記第１の送受信手段は、さらに、前記取得手段により取得した前記関連情報を前記表示装置に送信し、
前記表示装置は、
情報の表示が可能な表示部と、
前記構成部識別情報を記憶する識別情報記憶手段と、
前記表示装置から所定の範囲内にある前記情報記憶媒体から送信された前記構成部識別情報を検知する検知手段と、
前記検知手段によって検知された前記構成部識別情報が前記識別情報記憶手段に記憶されているか否かの認証を行う認証手段と、
前記認証手段によって前記構成部識別情報の認証が成功した場合、その旨を前記画像処理装置に送信し、さらに、前記関連情報を前記画像処理装置から受信する第２の送受信手段と、
前記第２の送受信手段によって受信した前記関連情報を、前記表示部に表示する制御を行う表示制御手段と、を備えたこと、
を特徴とする表示処理システム。
【請求項２】
前記識別情報記憶手段は、前記構成部識別情報と前記画像処理装置の種類とを対応付けて記憶し、
前記認証手段は、前記検知手段によって検知された前記構成部識別情報が、前記構成部識別情報を送信した前記画像処理装置の種類に対応して前記識別情報記憶手段に記憶されているか否かの認証を行うこと、
を特徴とする請求項１に記載の表示処理システム。
【請求項３】
画像処理を行う画像処理装置と、前記画像処理装置と無線通信ネットワークで接続され、情報を表示する携帯可能な表示装置と、を備えた表示処理システムにおいて、
前記画像処理装置は、
少なくともプリンタ部またはスキャナ部を含む構成部と、
前記構成部の近傍に設けられ、前記構成部に固有の識別情報である構成部識別情報を記憶するとともに、前記構成部識別情報を前記表示装置に送信する情報記憶媒体と、を備え、
前記表示装置は、
情報の表示が可能な表示部と、
前記構成部に関する情報である関連情報と、前記構成部識別情報と前記関連情報の識別情報である関連識別情報とを対応付けた対応付情報と、を記憶する記憶手段と、
前記表示装置から所定の範囲内にある前記情報記憶媒体から送信された前記構成部識別情報を検知する検知手段と、
前記記憶手段から、前記検知手段によって検知された前記構成部識別情報に対応した前記関連識別情報が示す前記関連情報を取得する取得手段と、
前記取得手段によって取得した前記関連情報を、前記表示部に表示する制御を行う表示制御手段と、を備えたこと、
を特徴とする表示処理システム。
【請求項４】
前記表示装置は、
前記構成部識別情報を記憶する識別情報記憶手段と、
前記検知手段によって検知された前記構成部識別情報が前記識別情報記憶手段に記憶されているか否かの認証を行う認証手段と、をさらに備え、
前記取得手段は、前記認証手段によって前記構成部識別情報の認証が成功した場合、前記記憶手段から、認証が成功した前記構成部識別情報に対応した前記関連識別情報が示す前記関連情報を取得すること、
を特徴とする請求項３に記載の表示処理システム。
【請求項５】
前記識別情報記憶手段は、前記構成部識別情報と前記画像処理装置の種類とを対応付けて記憶し、
前記認証手段は、前記検知手段によって検知された前記構成部識別情報が、前記構成部識別情報を送信した前記画像処理装置の種類に対応して前記識別情報記憶手段に記憶されているか否かの認証を行うこと、
を特徴とする請求項４に記載の表示処理システム。
【請求項６】
画像処理を行う画像処理装置と、前記画像処理装置と無線通信ネットワークで接続され、情報を表示する携帯可能な表示装置と、前記表示装置とネットワークで接続され、前記表示装置に情報を送信するサーバと、を備えた表示処理システムにおいて、
前記画像処理装置は、
少なくともプリンタ部またはスキャナ部を含む構成部と、
前記構成部の近傍に設けられ、前記構成部に固有の識別情報である構成部識別情報を記憶するとともに、前記構成部識別情報を前記表示装置に送信する情報記憶媒体と、を備え、
前記表示装置は、
情報の表示が可能な表示部と、
前記構成部識別情報を記憶する識別情報記憶手段と、
前記表示装置から所定の範囲内にある前記情報記憶媒体から送信された前記構成部識別情報を検知する検知手段と、
前記検知手段によって検知された前記構成部識別情報が前記識別情報記憶手段に記憶されているか否かの認証を行う認証手段と、
前記認証手段によって前記構成部識別情報の認証が成功した場合、その旨を前記サーバに送信し、さらに、前記構成部に関する情報である関連情報を前記サーバから受信する第３の送受信手段と、
前記第３の送受信手段によって受信した前記関連情報を、前記表示部に表示する制御を行う表示制御手段と、を備え、
前記サーバは、
前記関連情報と、前記構成部識別情報と前記関連情報の識別情報である関連識別情報とを対応付けた対応付情報と、を記憶する記憶手段と、
前記情報記憶媒体から送信された前記構成部識別情報の認証が成功した旨を、前記表示装置から受信する第４の送受信手段と、
前記第４の送受信手段によって前記情報記憶媒体から送信された前記構成部識別情報の認証が成功した旨を受信した場合、前記記憶手段から、認証が成功した前記構成部識別情報に対応した前記関連識別情報が示す前記関連情報を取得する取得手段と、を備え、
前記第４の送受信手段は、さらに、前記取得手段により取得した前記関連情報を前記表示装置に送信すること、
を特徴とする表示処理システム。
【請求項７】
前記識別情報記憶手段は、前記構成部識別情報と前記画像処理装置の種類とを対応付けて記憶し、
前記認証手段は、前記検知手段によって検知された前記構成部識別情報が、前記構成部識別情報を送信した前記画像処理装置の種類に対応して前記識別情報記憶手段に記憶されているか否かの認証を行うこと、
を特徴とする請求項６に記載の表示処理システム。
【請求項８】
前記サーバは、
前記記憶手段に記憶されている前記関連情報を更新する更新手段を、さらに備えること、
を特徴とする請求項６または７に記載の表示処理システム。
【請求項９】
閲覧対象物の近傍に設けられ、前記閲覧対象物に固有の識別情報である閲覧対象物識別情報を記憶するとともに、前記閲覧対象物識別情報を前記表示装置に送信する情報記憶媒体と、前記情報記憶媒体と無線通信ネットワークで接続され、情報を表示する携帯可能な表示装置と、前記表示装置とネットワークで接続され、前記表示装置に情報を送信するサーバと、を備えた表示処理システムにおいて、
前記表示装置は、
情報の表示が可能な表示部と、
前記閲覧対象物識別情報を記憶する識別情報記憶手段と、
前記閲覧対象物に関する情報である関連情報と、前記閲覧対象物識別情報と前記関連情報の識別情報である関連識別情報とを対応付けた対応付情報とを記憶する第１の記憶手段と、
前記関連情報と前記対応付情報とを要求する情報要求を前記サーバに送信し、さらに、前記関連情報と前記対応付情報を前記サーバから受信し、前記第１の記憶手段に保存する第５の送受信手段と、
前記表示装置から所定の範囲内にある前記情報記憶媒体から送信された前記閲覧対象物識別情報を検知する検知手段と、
前記検知手段によって検知された前記閲覧対象物識別情報が前記識別情報記憶手段に記憶されているか否かの認証を行う認証手段と、
前記認証手段によって認証が成功した場合、前記第１の記憶手段から、前記閲覧対象物識別情報に対応した前記関連識別情報が示す前記関連情報を取得する取得手段と、
前記取得手段によって取得した前記関連情報を、前記表示部に表示する制御を行う表示制御手段と、を備え、
前記サーバは、
前記関連情報と、前記対応付情報とを記憶する第２の記憶手段と、
前記情報要求を前記表示装置から受信し、さらに、前記第２の記憶手段に記憶された前記関連情報と前記対応付け情報とを前記表示装置に送信する第６の送受信手段と、を備えたこと、
を特徴とする表示処理システム。
【請求項１０】
前記サーバは、
前記記憶手段に記憶されている前記関連情報を更新する更新手段を、さらに備えること、
を特徴とする請求項９または１０に記載の表示処理システム。
【請求項１１】
画像処理を行う画像処理装置と、前記画像処理装置と無線通信ネットワークで接続され、情報を表示する携帯可能な表示装置との間で実行される表示処理方法において、
前記表示装置において、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
前記検知ステップによって検知された前記構成部識別情報が識別情報記憶手段に記憶されているか否かの認証を行う認証ステップと、
前記認証ステップによって前記構成部識別情報の認証が成功した場合、その旨を前記画像処理装置に送信する第２の送受信ステップと、を含み、
前記画像処理装置において、
前記情報記憶媒体から送信された前記構成部識別情報の認証が成功した旨を、前記表示装置から受信する第１の送受信ステップと、
前記第１の送受信ステップによって前記情報記憶媒体から送信された前記構成部識別情報の認証が成功した旨を受信した場合、記憶手段から、認証が成功した前記構成部識別情報に対応した前記構成部に関する情報である関連情報を取得する取得ステップと、を含み、
前記第１の送受信ステップは、さらに、前記取得ステップにより取得した前記関連情報を前記表示装置に送信し、
前記表示装置において、
前記第２の送受信ステップは、前記関連情報を前記画像処理装置から受信し、
前記第２の送受信ステップによって受信した前記関連情報を、情報の表示が可能な表示部に表示する制御を行う表示制御ステップと、を含むこと、
を特徴とする表示処理方法。
【請求項１２】
画像処理を行う画像処理装置と、前記画像処理装置と無線通信ネットワークで接続され、情報を表示する携帯可能な表示装置との間で実行される表示処理方法において、
前記表示装置において、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
記憶手段から、前記検知ステップによって検知された前記構成部識別情報に対応した前記構成部に関する情報である関連情報を取得する取得ステップと、
前記取得ステップによって取得した前記関連情報を、情報の表示が可能な表示部に表示する制御を行う表示制御ステップと、を含むこと、
を特徴とする表示処理方法。
【請求項１３】
画像処理を行う画像処理装置と、前記画像処理装置と無線通信ネットワークで接続され、情報を表示する携帯可能な表示装置と、前記表示装置とネットワークで接続され、前記表示装置に情報を送信するサーバとの間で実行される表示処理方法において、
前記表示装置において、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
前記検知ステップによって検知された前記構成部識別情報が識別情報記憶手段に記憶されているか否かの認証を行う認証ステップと
前記認証ステップによって前記構成部識別情報の認証が成功した場合、その旨を前記サーバに送信する第３の送受信ステップと、を含み、
前記サーバにおいて、
前記情報記憶媒体から送信された前記構成部識別情報の認証が成功した旨を、前記表示装置から受信する第４の送受信ステップと、
前記第４の送受信ステップによって前記情報記憶媒体から送信された前記構成部識別情報の認証が成功した旨を受信した場合、記憶手段から、認証が成功した前記構成部識別情報に対応した前記構成部に関する情報である関連情報を取得する取得ステップと、を含み、
前記第４の送受信ステップは、さらに、前記取得ステップにより取得した前記関連情報を前記表示装置に送信し、
前記表示装置において、
前記第３の送受信ステップは、さらに、前記関連情報を前記サーバから受信し、
前記第３の送受信ステップによって受信した前記関連情報を、情報の表示が可能な表示部に表示する制御を行う表示制御ステップと、を含むこと、
を特徴とする表示処理方法。
【請求項１４】
閲覧対象物の近傍に設けられ、前記閲覧対象物に固有の識別情報である閲覧対象物識別情報を記憶するとともに、前記閲覧対象物識別情報を前記表示装置に送信する情報記憶媒体と、前記情報記憶媒体と無線通信ネットワークで接続され、情報を表示する携帯可能な表示装置と、前記表示装置とネットワークで接続され、前記表示装置に情報を送信するサーバとの間で実行される表示処理方法において、
前記表示装置において、
前記閲覧対象物に関する情報である関連情報と、前記閲覧対象物識別情報と前記関連情報の識別情報である関連識別情報とを対応付けた対応付情報とを要求する情報要求を前記サーバに送信する第５の送受信ステップを、含み、
前記サーバにおいて、
前記情報要求を前記表示装置から受信し、さらに、第２の記憶手段に記憶された前記関連情報と前記対応付け情報とを前記表示装置に送信する第６の送受信ステップを、含み、
前記表示装置において、
前記第５の送受信手段は、さらに、前記関連情報と前記対応付情報を前記サーバから受信し、第１の記憶手段に保存し、
前記表示装置から所定の範囲内にある前記情報記憶媒体から送信された前記閲覧対象物識別情報を検知する検知ステップと、
前記検知ステップによって検知された前記閲覧対象物識別情報が識別情報記憶手段に記憶されているか否かの認証を行う認証ステップと、
前記認証ステップによって認証が成功した場合、前記第１の記憶手段から、前記閲覧対象物識別情報に対応した前記関連識別情報が示す前記関連情報を取得する取得ステップと、
前記取得ステップによって取得した前記関連情報を、情報の表示が可能な表示部に表示する制御を行う表示制御ステップと、を含むこと、
を特徴とする表示処理方法。
【請求項１５】
画像処理を行う画像処理装置と無線通信ネットワークで接続され、情報を表示する携帯可能な表示装置で実行される表示処理プログラムにおいて、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
前記検知ステップによって検知された前記構成部識別情報が識別情報記憶手段に記憶されているか否かの認証を行う認証ステップと、
前記認証ステップによって前記構成部識別情報の認証が成功した場合、その旨を前記画像処理装置に送信し、さらに、認証が成功した前記構成部識別情報に対応した前記構成部に関する情報である関連情報を前記画像処理装置から受信する第２の送受信ステップと、
前記第２の送受信ステップによって受信した前記関連情報を、情報の表示が可能な表示部に表示する制御を行う表示制御ステップと、
をコンピュータに実行させる表示処理プログラム。
【請求項１６】
画像処理を行う画像処理装置と無線通信ネットワークで接続され、情報を表示する携帯可能な表示装置で実行される表示処理プログラムにおいて、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
記憶手段から、前記検知ステップによって検知された前記構成部識別情報に対応した前記構成部に関する情報である関連情報を取得する取得ステップと、
前記取得ステップによって取得した前記関連情報を、情報の表示が可能な表示部に表示する制御を行う表示制御ステップと、
をコンピュータに実行させる表示処理プログラム。
【請求項１７】
画像処理を行う画像処理装置と無線通信ネットワークで接続され、情報を送信するサーバとネットワークで接続され、情報を表示する携帯可能な表示装置で実行される表示処理プログラムにおいて、
前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、
前記検知ステップによって検知された前記構成部識別情報が識別情報記憶手段に記憶されているか否かの認証を行う認証ステップと、
前記認証ステップによって前記構成部識別情報の認証が成功した場合、その旨を前記サーバに送信し、さらに、認証が成功した前記構成部識別情報に対応した前記構成部に関する情報である関連情報を前記サーバから受信する第３の送受信ステップと、
前記第３の送受信ステップによって受信した前記関連情報を、情報の表示が可能な表示部に表示する制御を行う表示制御ステップと、
をコンピュータに実行させる表示処理プログラム。
【請求項１８】
閲覧対象物の近傍に設けられ、前記閲覧対象物に固有の識別情報である閲覧対象物識別情報を記憶するとともに、前記閲覧対象物識別情報を前記表示装置に送信する情報記憶媒体と無線通信ネットワークで接続され、情報を送信するサーバとネットワークで接続され、情報を表示する携帯可能な表示装置で実行される表示処理プログラムにおいて、
前記閲覧対象物に関する情報である関連情報と、前記閲覧対象物識別情報と前記関連情報の識別情報である関連識別情報とを対応付けた対応付情報とを要求する情報要求を前記サーバに送信し、さらに、前記関連情報と前記対応付情報を前記サーバから受信し、第１の記憶手段に保存する第５の送受信ステップと、
前記表示装置から所定の範囲内にある前記情報記憶媒体から送信された前記閲覧対象物識別情報を検知する検知ステップと、
前記検知ステップによって検知された前記閲覧対象物識別情報が識別情報記憶手段に記憶されているか否かの認証を行う認証ステップと、
前記認証ステップによって認証が成功した場合、前記第１の記憶手段から、前記閲覧対象物識別情報に対応した前記関連識別情報が示す前記関連情報を取得する取得ステップと、
前記取得ステップによって取得した前記関連情報を、情報の表示が可能な表示部に表示する制御を行う表示制御ステップと、
をコンピュータに実行させる表示処理プログラム。
【発明の詳細な説明】
【技術分野】
【０００１】
本発明は、画像処理装置を構成する各構成部の情報を表示する表示処理システム、表示処理方法、および表示処理プログラムに関するものである。
【背景技術】
【０００２】
近年のプリンタ等の画像処理装置では、画像処理や画像出力等を実行するための多くの機能を備えている。そのような機能は複雑なものも多く、その複雑な機能の詳細を調べるためには、プリンタ等の画像処理装置に付属されているマニュアル（説明書）が必要であった。マニュアルには、紙媒体に印刷されたもの（紙マニュアル）と、ＣＤ−ＲＯＭ（Compact Disc Read Only Memory）やＷｅｂ（World Wide Web）等による電子的なもの（電子マニュアル）とがある。
【０００３】
しかし、多くの機能を備えた装置の場合、紙マニュアルは、それらの機能の説明に応じたページ数（枚数）を要するため、膨大なマニュアルとなり、重量も増加することから常に携帯するのは困難であった。また、電子マニュアルは、ＰＣ（Personal Computer）等が設置されていない場所では閲覧できないため、ＰＣ等が設置されている場所まで行って電子マニュアルを読み込む作業が必要となり、即時性に欠けていた。
【０００４】
そこで、プリンタ等の装置の内部にそのプリンタ等のマニュアルを保持し、プリンタ等の装置からマニュアルを出力することで、膨大なマニュアルを携帯しなくとも、また、ＰＣ等が設置されていなくとも、画像処理装置のマニュアルの情報を得ることができ、複雑な装置の機能でも使用できる技術が公開されている（例えば、特許文献１参照）。すなわち、特許文献１では、利用者が閲覧を所望するマニュアルの番号を操作パネルから選択することで、マニュアルがプリントアウトされたり、操作パネルに表示され、マニュアルを閲覧することができる。
【０００５】
【特許文献１】特開平８−１７４９６７号公報
【発明の開示】
【発明が解決しようとする課題】
【０００６】
しかしながら、特許文献１の技術では、利用者は、膨大なマニュアルのどの部分に、閲覧を所望する機能の情報があるかを検索して選択しなければならず、大きな負担となっていた。また、マニュアルを閲覧する度にプリントアウトをするとコストが増大し、プリンタ等の操作パネルに表示すると、その表示部の面積が小さいためにマニュアルを視認することが困難であるという問題もあった。
【０００７】
本発明は、上記に鑑みてなされたものであって、携帯性、即時性、および視認性を備えつつ、検索を要することなく閲覧を所望する情報を得ることができる表示処理システム、表示処理方法、および表示処理プログラムを提供することを目的とする。
【課題を解決するための手段】
【０００８】
上述した課題を解決し、目的を達成するために、本発明は、画像処理を行う画像処理装置と、前記画像処理装置と無線通信ネットワークで接続され、情報を表示する携帯可能な表示装置と、を備えた表示処理システムにおいて、前記画像処理装置は、少なくともプリンタ部またはスキャナ部を含む構成部と、前記構成部の近傍に設けられ、前記構成部に固有の識別情報である構成部識別情報を記憶するとともに、前記構成部識別情報を前記表示装置に送信する情報記憶媒体と、前記構成部に関する情報である関連情報と、前記構成部識別情報と前記関連情報の識別情報である関連識別情報とを対応付けた対応付情報と、を記憶する記憶手段と、前記情報記憶媒体から送信された前記構成部識別情報の認証が成功した旨を、前記表示装置から受信する第１の送受信手段と、前記第１の送受信手段によって前記情報記憶媒体から送信された前記構成部識別情報の認証が成功した旨を受信した場合、前記記憶手段から、認証が成功した前記構成部識別情報に対応した前記関連識別情報が示す前記関連情報を取得する取得手段と、を備え、前記第１の送受信手段は、さらに、前記取得手段により取得した前記関連情報を前記表示装置に送信し、前記表示装置は、情報の表示が可能な表示部と、前記構成部識別情報を記憶する識別情報記憶手段と、前記表示装置から所定の範囲内にある前記情報記憶媒体から送信された前記構成部識別情報を検知する検知手段と、前記検知手段によって検知された前記構成部識別情報が前記識別情報記憶手段に記憶されているか否かの認証を行う認証手段と、前記認証手段によって前記構成部識別情報の認証が成功した場合、その旨を前記画像処理装置に送信し、さらに、前記関連情報を前記画像処理装置から受信する第２の送受信手段と、前記第２の送受信手段によって受信した前記関連情報を、前記表示部に表示する制御を行う表示制御手段と、を備えたこと、を特徴とする表示処理システムである。
【０００９】
また、本発明は、前記識別情報記憶手段は、前記構成部識別情報と前記画像処理装置の種類とを対応付けて記憶し、前記認証手段は、前記検知手段によって検知された前記構成部識別情報が、前記構成部識別情報を送信した前記画像処理装置の種類に対応して前記識別情報記憶手段に記憶されているか否かの認証を行うこと、を特徴とする表示処理システムである。
【００１０】
また、本発明は、画像処理を行う画像処理装置と、前記画像処理装置と無線通信ネットワークで接続され、情報を表示する携帯可能な表示装置と、を備えた表示処理システムにおいて、前記画像処理装置は、少なくともプリンタ部またはスキャナ部を含む構成部と、前記構成部の近傍に設けられ、前記構成部に固有の識別情報である構成部識別情報を記憶するとともに、前記構成部識別情報を前記表示装置に送信する情報記憶媒体と、を備え、前記表示装置は、情報の表示が可能な表示部と、前記構成部に関する情報である関連情報と、前記構成部識別情報と前記関連情報の識別情報である関連識別情報とを対応付けた対応付情報と、を記憶する記憶手段と、前記表示装置から所定の範囲内にある前記情報記憶媒体から送信された前記構成部識別情報を検知する検知手段と、前記記憶手段から、前記検知手段によって検知された前記構成部識別情報に対応した前記関連識別情報が示す前記関連情報を取得する取得手段と、前記取得手段によって取得した前記関連情報を、前記表示部に表示する制御を行う表示制御手段と、を備えたこと、を特徴とする表示処理システムである。
【００１１】
また、本発明は、前記表示装置は、前記構成部識別情報を記憶する識別情報記憶手段と、前記検知手段によって検知された前記構成部識別情報が前記識別情報記憶手段に記憶されているか否かの認証を行う認証手段と、をさらに備え、前記取得手段は、前記認証手段によって前記構成部識別情報の認証が成功した場合、前記記憶手段から、認証が成功した前記構成部識別情報に対応した前記関連識別情報が示す前記関連情報を取得すること、を特徴とする表示処理システムである。
【００１２】
また、本発明は、前記識別情報記憶手段は、前記構成部識別情報と前記画像処理装置の種類とを対応付けて記憶し、前記認証手段は、前記検知手段によって検知された前記構成部識別情報が、前記構成部識別情報を送信した前記画像処理装置の種類に対応して前記識別情報記憶手段に記憶されているか否かの認証を行うこと、を特徴とする表示処理システムである。
【００１３】
また、本発明は、画像処理を行う画像処理装置と、前記画像処理装置と無線通信ネットワークで接続され、情報を表示する携帯可能な表示装置と、前記表示装置とネットワークで接続され、前記表示装置に情報を送信するサーバと、を備えた表示処理システムにおいて、前記画像処理装置は、少なくともプリンタ部またはスキャナ部を含む構成部と、前記構成部の近傍に設けられ、前記構成部に固有の識別情報である構成部識別情報を記憶するとともに、前記構成部識別情報を前記表示装置に送信する情報記憶媒体と、を備え、前記表示装置は、情報の表示が可能な表示部と、前記構成部識別情報を記憶する識別情報記憶手段と、前記表示装置から所定の範囲内にある前記情報記憶媒体から送信された前記構成部識別情報を検知する検知手段と、前記検知手段によって検知された前記構成部識別情報が前記識別情報記憶手段に記憶されているか否かの認証を行う認証手段と、前記認証手段によって前記構成部識別情報の認証が成功した場合、その旨を前記サーバに送信し、さらに、前記構成部に関する情報である関連情報を前記サーバから受信する第３の送受信手段と、前記第３の送受信手段によって受信した前記関連情報を、前記表示部に表示する制御を行う表示制御手段と、を備え、前記サーバは、前記関連情報と、前記構成部識別情報と前記関連情報の識別情報である関連識別情報とを対応付けた対応付情報と、を記憶する記憶手段と、前記情報記憶媒体から送信された前記構成部識別情報の認証が成功した旨を、前記表示装置から受信する第４の送受信手段と、前記第４の送受信手段によって前記情報記憶媒体から送信された前記構成部識別情報の認証が成功した旨を受信した場合、前記記憶手段から、認証が成功した前記構成部識別情報に対応した前記関連識別情報が示す前記関連情報を取得する取得手段と、を備え、前記第４の送受信手段は、さらに、前記取得手段により取得した前記関連情報を前記表示装置に送信すること、を特徴とする表示処理システムである。
【００１４】
また、本発明は、前記識別情報記憶手段は、前記構成部識別情報と前記画像処理装置の種類とを対応付けて記憶し、前記認証手段は、前記検知手段によって検知された前記構成部識別情報が、前記構成部識別情報を送信した前記画像処理装置の種類に対応して前記識別情報記憶手段に記憶されているか否かの認証を行うこと、を特徴とする表示処理システムである。
【００１５】
また、本発明は、前記サーバは、前記記憶手段に記憶されている前記関連情報を更新する更新手段を、さらに備えること、を特徴とする表示処理システムである。
【００１６】
また、本発明は、閲覧対象物の近傍に設けられ、前記閲覧対象物に固有の識別情報である閲覧対象物識別情報を記憶するとともに、前記閲覧対象物識別情報を前記表示装置に送信する情報記憶媒体と、前記情報記憶媒体と無線通信ネットワークで接続され、情報を表示する携帯可能な表示装置と、前記表示装置とネットワークで接続され、前記表示装置に情報を送信するサーバと、を備えた表示処理システムにおいて、前記表示装置は、情報の表示が可能な表示部と、前記閲覧対象物識別情報を記憶する識別情報記憶手段と、前記閲覧対象物に関する情報である関連情報と、前記閲覧対象物識別情報と前記関連情報の識別情報である関連識別情報とを対応付けた対応付情報とを記憶する第１の記憶手段と、前記関連情報と前記対応付情報とを要求する情報要求を前記サーバに送信し、さらに、前記関連情報と前記対応付情報を前記サーバから受信し、前記第１の記憶手段に保存する第５の送受信手段と、前記表示装置から所定の範囲内にある前記情報記憶媒体から送信された前記閲覧対象物識別情報を検知する検知手段と、前記検知手段によって検知された前記閲覧対象物識別情報が前記識別情報記憶手段に記憶されているか否かの認証を行う認証手段と、前記認証手段によって認証が成功した場合、前記第１の記憶手段から、前記閲覧対象物識別情報に対応した前記関連識別情報が示す前記関連情報を取得する取得手段と、前記取得手段によって取得した前記関連情報を、前記表示部に表示する制御を行う表示制御手段と、を備え、前記サーバは、前記関連情報と、前記対応付情報とを記憶する第２の記憶手段と、前記情報要求を前記表示装置から受信し、さらに、前記第２の記憶手段に記憶された前記関連情報と前記対応付け情報とを前記表示装置に送信する第６の送受信手段と、を備えたこと、を特徴とする表示処理システムである。
【００１７】
また、本発明は、前記サーバは、前記記憶手段に記憶されている前記関連情報を更新する更新手段を、さらに備えること、を特徴とする表示処理システムである。
【００１８】
また、本発明は、画像処理を行う画像処理装置と、前記画像処理装置と無線通信ネットワークで接続され、情報を表示する携帯可能な表示装置との間で実行される表示処理方法において、前記表示装置において、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、前記検知ステップによって検知された前記構成部識別情報が識別情報記憶手段に記憶されているか否かの認証を行う認証ステップと、前記認証ステップによって前記構成部識別情報の認証が成功した場合、その旨を前記画像処理装置に送信する第２の送受信ステップと、を含み、前記画像処理装置において、前記情報記憶媒体から送信された前記構成部識別情報の認証が成功した旨を、前記表示装置から受信する第１の送受信ステップと、前記第１の送受信ステップによって前記情報記憶媒体から送信された前記構成部識別情報の認証が成功した旨を受信した場合、記憶手段から、認証が成功した前記構成部識別情報に対応した前記構成部に関する情報である関連情報を取得する取得ステップと、を含み、前記第１の送受信ステップは、さらに、前記取得ステップにより取得した前記関連情報を前記表示装置に送信し、前記表示装置において、前記第２の送受信ステップは、前記関連情報を前記画像処理装置から受信し、前記第２の送受信ステップによって受信した前記関連情報を、情報の表示が可能な表示部に表示する制御を行う表示制御ステップと、を含むこと、を特徴とする表示処理方法である。
【００１９】
また、本発明は、画像処理を行う画像処理装置と、前記画像処理装置と無線通信ネットワークで接続され、情報を表示する携帯可能な表示装置との間で実行される表示処理方法において、前記表示装置において、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、記憶手段から、前記検知ステップによって検知された前記構成部識別情報に対応した前記構成部に関する情報である関連情報を取得する取得ステップと、前記取得ステップによって取得した前記関連情報を、情報の表示が可能な表示部に表示する制御を行う表示制御ステップと、を含むこと、を特徴とする表示処理方法である。
【００２０】
また、本発明は、画像処理を行う画像処理装置と、前記画像処理装置と無線通信ネットワークで接続され、情報を表示する携帯可能な表示装置と、前記表示装置とネットワークで接続され、前記表示装置に情報を送信するサーバとの間で実行される表示処理方法において、前記表示装置において、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、前記検知ステップによって検知された前記構成部識別情報が識別情報記憶手段に記憶されているか否かの認証を行う認証ステップと
前記認証ステップによって前記構成部識別情報の認証が成功した場合、その旨を前記サーバに送信する第３の送受信ステップと、を含み、前記サーバにおいて、前記情報記憶媒体から送信された前記構成部識別情報の認証が成功した旨を、前記表示装置から受信する第４の送受信ステップと、前記第４の送受信ステップによって前記情報記憶媒体から送信された前記構成部識別情報の認証が成功した旨を受信した場合、記憶手段から、認証が成功した前記構成部識別情報に対応した前記構成部に関する情報である関連情報を取得する取得ステップと、を含み、前記第４の送受信ステップは、さらに、前記取得ステップにより取得した前記関連情報を前記表示装置に送信し、前記表示装置において、前記第３の送受信ステップは、さらに、前記関連情報を前記サーバから受信し、前記第３の送受信ステップによって受信した前記関連情報を、情報の表示が可能な表示部に表示する制御を行う表示制御ステップと、を含むこと、を特徴とする表示処理方法である。
【００２１】
また、本発明は、閲覧対象物の近傍に設けられ、前記閲覧対象物に固有の識別情報である閲覧対象物識別情報を記憶するとともに、前記閲覧対象物識別情報を前記表示装置に送信する情報記憶媒体と、前記情報記憶媒体と無線通信ネットワークで接続され、情報を表示する携帯可能な表示装置と、前記表示装置とネットワークで接続され、前記表示装置に情報を送信するサーバとの間で実行される表示処理方法において、前記表示装置において、前記閲覧対象物に関する情報である関連情報と、前記閲覧対象物識別情報と前記関連情報の識別情報である関連識別情報とを対応付けた対応付情報とを要求する情報要求を前記サーバに送信する第５の送受信ステップを、含み、前記サーバにおいて、前記情報要求を前記表示装置から受信し、さらに、第２の記憶手段に記憶された前記関連情報と前記対応付け情報とを前記表示装置に送信する第６の送受信ステップを、含み、前記表示装置において、前記第５の送受信手段は、さらに、前記関連情報と前記対応付情報を前記サーバから受信し、第１の記憶手段に保存し、前記表示装置から所定の範囲内にある前記情報記憶媒体から送信された前記閲覧対象物識別情報を検知する検知ステップと、前記検知ステップによって検知された前記閲覧対象物識別情報が識別情報記憶手段に記憶されているか否かの認証を行う認証ステップと、前記認証ステップによって認証が成功した場合、前記第１の記憶手段から、前記閲覧対象物識別情報に対応した前記関連識別情報が示す前記関連情報を取得する取得ステップと、前記取得ステップによって取得した前記関連情報を、情報の表示が可能な表示部に表示する制御を行う表示制御ステップと、を含むこと、を特徴とする表示処理方法である。
【００２２】
また、本発明は、画像処理を行う画像処理装置と無線通信ネットワークで接続され、情報を表示する携帯可能な表示装置で実行される表示処理プログラムにおいて、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、前記検知ステップによって検知された前記構成部識別情報が識別情報記憶手段に記憶されているか否かの認証を行う認証ステップと、前記認証ステップによって前記構成部識別情報の認証が成功した場合、その旨を前記画像処理装置に送信し、さらに、認証が成功した前記構成部識別情報に対応した前記構成部に関する情報である関連情報を前記画像処理装置から受信する第２の送受信ステップと、前記第２の送受信ステップによって受信した前記関連情報を、情報の表示が可能な表示部に表示する制御を行う表示制御ステップと、をコンピュータに実行させる表示処理プログラムである。
【００２３】
また、本発明は、画像処理を行う画像処理装置と無線通信ネットワークで接続され、情報を表示する携帯可能な表示装置で実行される表示処理プログラムにおいて、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、記憶手段から、前記検知ステップによって検知された前記構成部識別情報に対応した前記構成部に関する情報である関連情報を取得する取得ステップと、前記取得ステップによって取得した前記関連情報を、情報の表示が可能な表示部に表示する制御を行う表示制御ステップと、をコンピュータに実行させる表示処理プログラムである。
【００２４】
また、本発明は、画像処理を行う画像処理装置と無線通信ネットワークで接続され、情報を送信するサーバとネットワークで接続され、情報を表示する携帯可能な表示装置で実行される表示処理プログラムにおいて、前記表示装置から所定の範囲内にあって、前記画像処理装置における少なくともプリンタ部またはスキャナ部を含む構成部の近傍に設けられ、前記構成部に固有の識別情報である構成部識別情報を記憶する情報記憶媒体から送信された前記構成部識別情報を検知する検知ステップと、前記検知ステップによって検知された前記構成部識別情報が識別情報記憶手段に記憶されているか否かの認証を行う認証ステップと、前記認証ステップによって前記構成部識別情報の認証が成功した場合、その旨を前記サーバに送信し、さらに、認証が成功した前記構成部識別情報に対応した前記構成部に関する情報である関連情報を前記サーバから受信する第３の送受信ステップと、前記第３の送受信ステップによって受信した前記関連情報を、情報の表示が可能な表示部に表示する制御を行う表示制御ステップと、をコンピュータに実行させる表示処理プログラムである。
【００２５】
また、本発明は、閲覧対象物の近傍に設けられ、前記閲覧対象物に固有の識別情報である閲覧対象物識別情報を記憶するとともに、前記閲覧対象物識別情報を前記表示装置に送信する情報記憶媒体と無線通信ネットワークで接続され、情報を送信するサーバとネットワークで接続され、情報を表示する携帯可能な表示装置で実行される表示処理プログラムにおいて、前記閲覧対象物に関する情報である関連情報と、前記閲覧対象物識別情報と前記関連情報の識別情報である関連識別情報とを対応付けた対応付情報とを要求する情報要求を前記サーバに送信し、さらに、前記関連情報と前記対応付情報を前記サーバから受信し、第１の記憶手段に保存する第５の送受信ステップと、前記表示装置から所定の範囲内にある前記情報記憶媒体から送信された前記閲覧対象物識別情報を検知する検知ステップと、前記検知ステップによって検知された前記閲覧対象物識別情報が識別情報記憶手段に記憶されているか否かの認証を行う認証ステップと、前記認証ステップによって認証が成功した場合、前記第１の記憶手段から、前記閲覧対象物識別情報に対応した前記関連識別情報が示す前記関連情報を取得する取得ステップと、前記取得ステップによって取得した前記関連情報を、情報の表示が可能な表示部に表示する制御を行う表示制御ステップと、をコンピュータに実行させる表示処理プログラムである。
【発明の効果】
【００２６】
本発明によれば、画像処理装置における構成部の近傍に設けられた情報記憶媒体が、構成部に固有の識別情報である構成部識別情報を表示装置に送信し、表示装置においてその構成部識別情報を検知して、検知した構成部識別情報の認証が成功した場合、表示装置は、画像処理装置から関連情報を受信して、受信した関連情報を表示部に表示する制御を行う。これにより、携帯可能な表示装置に、画像処理装置の構成部の関連情報を直ちに表示することができ、携帯性、即時性、および視認性を備えつつ、検索を要することなく閲覧を所望する関連情報を得ることができるという効果を奏する。
【００２７】
また、本発明によれば、表示装置において、検知された構成部識別情報が、構成部識別情報を送信した画像処理装置の種類に対応して識別情報記憶手段に記憶されているか否かの認証を行う。これにより、構成部識別情報を送信した画像処理装置の種類も認証され、携帯可能な表示装置に、画像処理装置の構成部の関連情報を直ちに正確に表示することができ、携帯性、即時性、および視認性を備えつつ、検索を要することなく閲覧を所望する関連情報を得ることができるという効果を奏する。
【００２８】
また、本発明によれば、画像処理装置における構成部の近傍に設けられた情報記憶媒体が、構成部に固有の識別情報である構成部識別情報を表示装置に送信し、表示装置においてその構成部識別情報を検知して、記憶手段から検知した構成部識別情報に対応した関連情報を取得し、取得した関連情報を表示部に表示する制御を行う。これにより、携帯可能な表示装置に、画像処理装置の構成部の関連情報を直ちに表示することができ、携帯性、即時性、および視認性を備えつつ、検索を要することなく閲覧を所望する関連情報を得ることができるという効果を奏する。
【００２９】
また、本発明によれば、表示装置において、検知された構成部識別情報の認証が成功した場合、記憶手段から認証が成功した構成部識別情報に対応した関連識別情報が示す関連情報を取得する。これにより、受信した構成部識別情報が認証され、携帯可能な表示装置に、画像処理装置の構成部の関連情報を直ちに正確に表示することができ、携帯性、即時性、および視認性を備えつつ、検索を要することなく閲覧を所望する関連情報を得ることができるという効果を奏する。
【００３０】
また、本発明によれば、表示装置において、検知手段により検知された構成部識別情報が、構成部識別情報を送信した画像処理装置の種類に対応して識別情報記憶手段に記憶されているか否かの認証を行う。これにより、構成部識別情報を送信した画像処理装置の種類も認証され、携帯可能な表示装置に、画像処理装置の構成部の関連情報を直ちに正確に表示することができ、携帯性、即時性、および視認性を備えつつ、検索を要することなく閲覧を所望する関連情報を得ることができるという効果を奏する。
【００３１】
また、本発明によれば、画像処理装置における構成部の近傍に設けられた情報記憶媒体が、構成部に固有の識別情報である構成部識別情報を表示装置に送信し、表示装置においてその構成部識別情報を検知して、検知した構成部識別情報の認証が成功した場合、表示装置は、サーバから関連情報を受信して、受信した関連情報を表示部に表示する制御を行う。これにより、携帯可能な表示装置に、画像処理装置の構成部の関連情報を直ちに表示することができ、携帯性、即時性、および視認性を備えつつ、検索を要することなく閲覧を所望する関連情報を得ることができるという効果を奏する。
【００３２】
また、本発明によれば、表示装置において、検知された構成部識別情報が、構成部識別情報を送信した画像処理装置の種類に対応して識別情報記憶手段に記憶されているか否かの認証を行う。これにより、構成部識別情報を送信した画像処理装置の種類も認証され、携帯可能な表示装置に、画像処理装置の構成部の関連情報を直ちに正確に表示することができ、携帯性、即時性、および視認性を備えつつ、検索を要することなく閲覧を所望する関連情報を得ることができるという効果を奏する。
【００３３】
また、本発明によれば、サーバにおいて、記憶手段に記憶されている関連情報を更新する。これにより、携帯可能な表示装置に、更新された画像処理装置の構成部の関連情報を直ちに表示することができ、携帯性、即時性、および視認性を備えつつ、検索を要することなく閲覧を所望する関連情報を得ることができるという効果を奏する。
【００３４】
また、本発明によれば、表示装置が、関連情報と対応付情報とを要求する情報要求をサーバに送信し、サーバから要求した関連情報と対応付情報をサーバから受信し、第１の記憶手段に保存し、閲覧対象物の近傍に設けられた情報記憶媒体が、閲覧対象物に固有の識別情報である閲覧対象物識別情報を表示装置に送信し、表示装置においてその閲覧対象物識別情報を検知して、検知した閲覧対象物識別情報の認証が成功した場合、第１の記憶手段から閲覧対象物識別情報に対応した関連識別情報が示す関連情報を取得し、表示制御手段が取得した関連情報を表示部に表示する制御を行う。これにより、携帯可能な表示装置に、閲覧対象物の関連情報を直ちに表示することができ、携帯性、即時性、および視認性を備えつつ、検索を要することなく閲覧を所望する関連情報を得ることができるという効果を奏する。
【００３５】
また、本発明によれば、サーバにおいて、記憶手段に記憶されている関連情報を更新する。これにより、携帯可能な表示装置に、更新された閲覧対象物の関連情報を直ちに表示することができ、携帯性、即時性、および視認性を備えつつ、検索を要することなく閲覧を所望する関連情報を得ることができるという効果を奏する。
【発明を実施するための最良の形態】
【００３６】
以下に添付図面を参照して、この発明にかかる表示処理システム、表示処理方法、および表示処理プログラムの最良な実施の形態を詳細に説明する。
【００３７】
（第１の実施の形態）
本実施の形態における表示処理システムは、画像処理装置と表示装置とにより構成されており、表示装置を画像処理装置の構成部に近接させることで、その近接させた構成部のマニュアル（説明書）等の情報を表示装置が受信して表示するものである。図１は、第１の実施の形態にかかる表示処理システムの構成を示すブロック図である。図１に示すように、本実施の形態にかかる表示処理システムは、複合機１００および表示装置２００によって構成されている。また、複合機１００と表示装置２００は、無線ＬＡＮ（Local Area Network）などの無線通信ネットワークを介して接続されている。本実施の形態では、本発明の画像処理装置を、スキャナ機能や、コピー、ファクシミリ、プリンタなどの複数の機能を一つの筐体に収納した複合機に適用した例を示す。
【００３８】
まず、複合機１００の詳細について説明する。複合機１００は、原稿をスキャンして、スキャンした原稿の画像データを生成して印刷するものであり、ＡＤＦ（Automatic Document Feeder）１０１、スキャナ部１０２、プリンタ部１０３、排紙部１０４、紙送り部１０５、給紙部１０６等の各構成部と、ＲＦＩＤ（Radio Frequency IDentification）タグ１０１ａ〜１０６ａと、記憶部１２０と、取得部１１０と、送受信部１１１とから主に構成されている。
【００３９】
ＡＤＦ１０１は、利用者により定位置に載置された複数枚の原稿を連続して原稿台に送り、後述するスキャナ部１０２による処理がなされた後、排出するものである。
【００４０】
スキャナ部１０２は、利用者によって載置された原稿、またはＡＤＦ１０１により送られてきた原稿を、ＣＣＤ（Charge Coupled Device）によりスキャンして読み取るものである。
【００４１】
プリンタ部１０３は、スキャナ部１０２によってスキャンされた原稿から生成された画像データを紙媒体等に印刷するものである。
【００４２】
排紙部１０４は、プリンタ部１０３によって印刷された紙媒体等を、複合機１００の本体内部から排出するものである。
【００４３】
紙送り部１０５は、複合機１００の本体内部において、紙媒体等を、給紙部１０６からプリンタ部１０３、排紙部１０４へ搬送するものである。
【００４４】
給紙部１０６は、プリンタ部１０３によって印刷される紙媒体を、収納する給紙カセット等である。
【００４５】
ＲＦＩＤタグ１０１ａ〜１０６ａ（情報記憶媒体）は、ＡＤＦ１０１と、スキャナ部１０２と、プリンタ部１０３と、排紙部１０４と、紙送り部１０５と、給紙部１０６等の各構成部の近傍にそれぞれの構成部に対応して設けられており、図示しないメモリと送受信部からなるＩＣチップと、アンテナとを備えている。ＲＦＩＤタグ１０１ａ〜１０６ａは、メモリがＡＤＦ１０１等の各構成部に固有の識別情報である構成部のＩＤを記憶し、送受信部がアンテナを介して所定の範囲内にある表示装置２００から信号を受信した場合に、構成部のＩＤを表示装置２００に送信するパッシブ型のＲＦＩＤタグである。ここで、ＲＦＩＤとは、電波/電磁波を利用して、非接触でＩＤ等の読み出し/書き込みを行なうものであり、内部に電子的な情報を持つタグが、読み取り装置（ＲＦＩＤ検知部）と電波/電磁波で送受信を行うことで、タグに記録されている情報を識別する技術である。
【００４６】
記憶部１２０は、複合機１００における構成部に関する説明であるマニュアルのデータ（関連情報）を記憶するものである。すなわち、ＡＤＦ１０１に対応するマニュアルデータ、スキャナ部１０２に対応するマニュアルデータ等、それぞれの構成部に対応するマニュアルデータを記憶している。このマニュアルデータは、各構成部の機能の説明や操作方法、トラブルに対する対処方法等が記載されている。また、記憶部１２０は、各構成部のＩＤとその構成部のマニュアルファイル名（関連識別情報）とを対応付けた対応付テーブルを記憶している。図２は、記憶部１２０に記憶されている対応付テーブルの一例を示す図である。図２に示すように、対応付テーブルは、各構成部のＩＤ（００１、００２等）と、マニュアルファイル名（ＡＡＡ.doc、ＢＢＢ.doc等）とを対応させて記憶している。
【００４７】
送受信部１１１は、ＲＦＩＤタグ１０１ａ〜１０６ａから表示装置２００に送信された構成部のＩＤが表示装置２００において認証され、その認証が成功した旨を表示装置２００から受信するものである。また、送受信部１１１は、後述する取得部１１０により取得したマニュアルデータを表示装置２００に送信するものである。なお、例えば、送受信部１１１は、ＩＥＥＥ８０２．１１等の無線ＬＡＮの通信プロトコルに従って通信を行っている。また、これに限定されることなく、マニュアルデータ等を送受信できるプロトコルであれば、いずれの通信プロトコルを使用してもよい。
【００４８】
取得部１１０は、送受信部１１１によって、ＲＦＩＤタグから送信された構成部のＩＤの認証が成功した旨を表示装置２００受信した場合に、認証が成功した構成部のＩＤをキーとして、記憶部１２０から、認証が成功した構成部のＩＤに対応したマニュアルファイル名が示すマニュアルデータを取得する。
【００４９】
次に、表示装置２００の詳細について説明する。表示装置２００は、利用者が容易に携帯可能な大きさと重量で構成されており、複合機１００から受信した情報を表示するものである。図３は、表示装置２００の構成を示す模式図である。図３に示すように、表示装置２００は、表示部２１１を有する電子ペーパ２１０と制御部２２０とから主に構成されている。
【００５０】
電子ペーパ２１０は、１０分の数ミリ程度の厚さで、電気的な手段でデータの表示および消去が可能な表示部２１１を有している。また、電子ペーパ２１０は、紙媒体に印刷するハードコピーが有する「見易さ、持ち運び易さ」に加え、表示部の画面に写し出すソフトコピーが有する「デジタル情報との結合・書き換え性」や省紙資源を実現するものと期待されている反射型表示媒体であり、従来の画像表示装置にはない極薄、柔軟性という特性がある。
【００５１】
制御部２２０は、ＩＤ記憶部２３０と、ＲＦＩＤ検知部２２１と、認証部２２７と、送受信部２２２と、表示制御部２２３とを主に備えている。
【００５２】
ＩＤ記憶部２３０は、複合機の種類（複合機種別）と構成部のＩＤとを対応付けて記憶するものである。図４は、ＩＤ記憶部２３０に記憶されているテーブルの一例を示す図である。図４に示すように、ＩＤ記憶部２３０に記憶されているテーブルは、複合機種別（ＭＦＰ０１、ＭＦＰ０２）と、複合機１００の構成部のＩＤ（００１、００２）とを対応付けて記憶している。
【００５３】
ＲＦＩＤ検知部２２１は、表示装置２００を複合機１００の構成部の近傍に設けられた構成部のＩＤを保持するＲＦＩＤタグ１０１ａ〜１０６ａに近接させることで、表示装置２００から所定の範囲内に位置するＲＦＩＤタグ１０１ａ〜１０６ａから送信された構成部のＩＤを検知するものである。すなわち、ＲＦＩＤ検知部２２１は、通信距離内のＲＦＩＤタグ１０１ａ〜１０６ａに信号を発信し、信号を受信したＲＦＩＤタグ１０１ａ〜１０６ａから構成部のＩＤが送信されると、送信された構成部のＩＤを非接触で検知する。なお、本実施の形態では、表示装置１００をＲＦＩＤタグ１０１ａ〜１０６ａに近接させることで、構成部のＩＤを非接触で検知するように構成されているが、表示装置１００をＲＦＩＤタグ１０１ａ〜１０６ａに接触させることで、構成部のＩＤを検知するように構成してもよい。また、ＲＦＩＤ検知部２２１は、表示装置２００がＲＦＩＤタグ１０１ａ〜１０６ａの通信距離内に近接された場合に、一定間隔で発信されているアクティブ型のＲＦＩＤタグ１０１ａ〜１０６ａから構成部のＩＤを検知するように構成してもよい。
【００５４】
認証部２２７は、ＲＦＩＤ検知部２２１によってＲＦＩＤタグ１０１ａ〜１０６ａから送信された構成部のＩＤを検知すると、ＩＤ記憶部２３０を参照して、検知した構成部のＩＤをキーとして、構成部のＩＤを送信した複合機１００の種類に対応して検知された構成部のＩＤが記憶されているか否かの認証を行うものである。
【００５５】
送受信部２２２は、認証部２２７によって構成部のＩＤの認証が成功した場合、その旨を複合機１００に送信するものである。また、送受信部２２２は、認証部２２７によって構成部のＩＤの認証が成功した旨を受信した複合機１００において取得された構成部のマニュアルデータを、複合機１００から受信する。
【００５６】
表示制御部２２３は、送受信部２２２によって受信したマニュアルデータを、電子ペーパ２１０の表示部２１１に表示する制御を行うものである。
【００５７】
次に、以上のように構成された表示処理システムによる表示処理について説明する。図５は、第１の実施の形態にかかる表示処理システムによる表示処理の手順を示すシーケンス図である。
【００５８】
まず、利用者がマニュアルを表示したい複合機１００の構成部に表示装置２００を近接させると、その構成部の近傍に設けられたＲＦＩＤタグに、表示装置２００を近接させることになる。表示装置２００が通信距離内のＲＦＩＤタグに信号を発信すると、その信号を受信したＲＦＩＤタグは、構成部のＩＤを表示装置２００に送信し（ステップＳ５０１）、ＲＦＩＤタグから送信された構成部のＩＤを、表示装置２００のＲＦＩＤ検知部２２１が検知する。次に、認証部２２７は、ＩＤ記憶部２３０を参照して、構成部のＩＤを送信した複合機１００の種類に対応して、検知された構成部のＩＤが記憶されているか否かの認証を行う（ステップＳ５０２）。
【００５９】
認証部２２７による構成部のＩＤの認証が成功した場合、表示装置２００の送受信部２２２は、その旨を複合機１００に送信し（ステップＳ５０３）、複合機１００の送受信部１１１が受信する。次に、送受信部１１１により構成部のＩＤの認証が成功した旨を受信すると、取得部１１１は、その構成部のＩＤに対応する構成部のマニュアルデータを記憶部１２０から取得する（ステップＳ５０４）。
【００６０】
そして、送受信部１１１は、取得部１１０により取得した構成部のマニュアルデータを表示装置２００に送信し（ステップＳ５０５）、表示装置２００の送受信部２２２がマニュアルデータを受信する。次に、表示制御部２２３は、送受信部２２２によって受信したマニュアルデータを、電子ペーパ２１０の表示部２１１に表示する（ステップＳ５０６）。
【００６１】
ここで、本実施の形態にかかる表示処理システムの使用例について説明する。図６は、第１の実施の形態にかかる表示処理システムの使用状態を示す図である。図６は、利用者がマニュアルを表示したい複合機１００の構成部に表示装置２００を近接させている状態である。図６に示すように、複合機１００のカバーを開けて、構成部に表示装置２００を近接させると、その構成部のマニュアルデータが表示装置２００に表示される。具体的には、例えば、利用者がＡＤＦ１０１のマニュアルを読みたい場合は、ＡＤＦ１０１に表示装置２００を近接させると、ＡＤＦ１０１の近傍に設けられているＲＦＩＤタグ１０１ａに表示装置２００を近接させることになり、ＡＤＦ１０１のマニュアルデータが表示装置２００に表示され、利用者は、マニュアルの検索を行わなくとも、ＡＤＦ１０１のマニュアルを読むことができる。
【００６２】
このように、本実施の形態にかかる表示処理システムは、携帯可能な表示装置２００を複合機１００の構成部に近接させることで、表示装置２００がその構成部の近傍に設けられたＲＦＩＤタグ１０１ａ〜１０６ａから構成部のＩＤを受信し、表示装置２００において受信した構成部のＩＤの認証が成功すると、その旨を複合機１００に送信し、複合機１００から構成部のマニュアルデータを受信して、表示部２１１に表示する。これにより、マニュアルを表示したい構成部に表示装置２００を近接させるだけで、検索を要することなく閲覧を所望する構成部のマニュアルデータを得ることができる。また、表示装置２００に、薄くて軽量で、かつ表示された文字等を認識し易い電子ペーパ２１０を利用することで、携帯性、即時性、および視認性を備え、高齢者や弱視者も利用し易くなる。
【００６３】
また、本実施の形態にかかる表示処理システムは、クーラーなどの空調設備装置に適用することができる。この場合も複合機と同様に、空調設備装置の構成部の近傍にＲＦＩＤタグを設けておき、情報を表示したい構成部に表示装置を近接させると、その構成部のマニュアル等の情報が表示装置に表示される。図７は、第１の実施の形態にかかる表示処理システムを空調設備装置に適用した場合の使用状態を示す図である。図７では、利用者が情報を表示したい空調設備装置の構成部に表示装置を近接させている状態である。これにより、例えば、空調設備装置の機能の説明、操作方法、トラブルに対する対処方法等が表示装置に表示される。
【００６４】
また、本実施の形態にかかる表示処理システムは、自動車等の乗物に適用することができる。この場合も複合機と同様に、乗物の構成部、例えば、自動車のエンジン、バッテリー等の構成部の近傍に、交換時期、走行距離などの構成部に関する履歴情報を蓄積して記憶したＲＦＩＤタグを設けておき、履歴情報を表示したい構成部に表示装置を近接させると、その構成部の履歴情報が表示装置に表示される。図８は、第１の実施の形態にかかる表示処理システムを自動車に適用した場合の使用状態を示す図である。図８では、利用者が履歴情報を表示したい自動車の構成部に表示装置を近接させている状態である。これにより、例えば、自動車の構成部の交換時期、走行距離などの履歴情報が表示装置に表示される。
【００６５】
また、本実施の形態にかかる表示処理システムは、人体の模型等の教材などにも適用することができる。この場合も複合機と同様に、教材の構成部、例えば、人体の模型における胸部、頭部等の構成部の近傍にＲＦＩＤタグを設けておき、情報を表示したい構成部に表示装置を近接させると、その構成部の情報が表示装置に表示される。図９は、第１の実施の形態にかかる表示処理システムを人体の模型に適用した場合の使用状態を示す図である。図９では、利用者が情報を表示したい人体の模型における構成部に表示装置を近接させている状態である。これにより、例えば、近接した人体の模型の構成部から、人体の内部の図や説明などの情報が表示装置に表示される。
【００６６】
（第２の実施の形態）
第１の実施の形態にかかる表示処理システムは、表示装置を画像処理装置の構成部に近接させることで、画像処理装置に記憶されている構成部の情報を表示装置が受信して表示するものであったが、第２の実施の形態にかかる表示処理システムでは、表示装置を画像処理装置の構成部に近接させることで、表示装置が構成部の識別情報を受信し、表示装置に記憶されている構成部の情報を表示するものである。
【００６７】
図１０は、第２の実施の形態にかかる表示処理システムの構成を示すブロック図である。図１０に示すように、本実施の形態にかかる表示処理システムは、複合機１０００および表示装置２０００によって構成されている。本実施の形態では、本発明の画像処理装置を、第１の実施の形態と同様、複合機に適用した例を示す。
【００６８】
まず、複合機１０００の詳細について説明する。複合機１００は、原稿をスキャンして、スキャンした原稿の画像データを生成して印刷するものであり、ＡＤＦ１０１、スキャナ部１０２、プリンタ部１０３、排紙部１０４、紙送り部１０５、給紙部１０６等の各構成部と、ＲＦＩＤタグ１０１ａ〜１０６ａとから主に構成されている。ここで、本実施の形態にかかる複合機１０００は、第１の実施の形態にかかる複合機１００とは異なり、記憶部１２０と、取得部１１０と、送受信部１１１とを備えていない。また、複合機１０００のＡＤＦ１０１、スキャナ部１０２、プリンタ部１０３、排紙部１０４、紙送り部１０５、給紙部１０６等の各構成部の構成および機能は、第１の実施の形態と同様であるため説明を省略する。
【００６９】
次に、表示装置２０００の詳細について説明する。表示装置２０００は、利用者が容易に携帯可能な大きさと重量で構成されており、表示装置２０００に記憶されている情報を表示するものである。また、表示装置２０００は、第１の実施の形態と同様に、表示部２１１を有する電子ペーパ２１０と制御部２２００とから主に構成されている。ここで、表示部２１１を有する電子ペーパ２１０の構成および機能については、第１の実施の形態と同様であるため説明を省略する。
【００７０】
制御部２２００は、ＩＤ記憶部２３０と、記憶部２４０と、ＲＦＩＤ検知部２２１と、認証部２２７と、取得部２２４と、表示制御部２２３とを主に備えている。ここで、ＩＤ記憶部２３０と、ＲＦＩＤ検知部２２１と、認証部２２７は、第１の実施の形態の構成および機能と同様であるため、説明を省略する。
【００７１】
記憶部２４０は、複合機１０００における構成部に関する説明であるマニュアルのデータを記憶するものである。すなわち、ＡＤＦ１０１に対応するマニュアルデータ、スキャナ部１０２に対応するマニュアルデータ等、それぞれの構成部に対応するマニュアルデータを記憶している。このマニュアルデータは、各構成部の機能の説明や操作方法、トラブルに対する対処方法等が記載されている。また、記憶部２４０は、複合機種別と、各構成部のＩＤと、その構成部のマニュアルファイル名とを対応付けた対応付テーブルを記憶している。図１１は、記憶部２４０に記憶されている対応付テーブルの一例を示す図である。図１１に示すように、対応付テーブルは、複合機種別（ＭＦＰ０１、ＭＦＰ０２）と、各構成部のＩＤ（００１、００２等）と、マニュアルファイル名（ＡＡＡ.doc、ＢＢＢ.doc等）とを対応させて記憶している。
【００７２】
取得部２２４は、認証部２２７によって、ＲＦＩＤタグから送信された構成部のＩＤの認証が成功した場合に、認証が成功した構成部のＩＤをキーとして、記憶部２４０から、認証が成功した構成部のＩＤに対応したマニュアルファイル名が示すマニュアルデータを取得する。
【００７３】
表示制御部２２３は、取得部２２４によって取得したマニュアルデータを、電子ペーパ２１０の表示部２１１に表示する制御を行うものである。
【００７４】
次に、以上のように構成された表示処理システムによる表示処理について説明する。図１２は、第２の実施の形態にかかる表示処理システムによる表示処理の手順を示すシーケンス図である。
【００７５】
まず、ＲＦＩＤタグによる構成部のＩＤの送信から認証部２２７による認証までの処理は（ステップＳ１２０１、１２０２）、第１の実施の形態における処理と同様であるため説明を省略する（ステップＳ５０１、５０２）。
【００７６】
次に、認証部２２７による構成部のＩＤの認証が成功した場合、表示装置２０００の取得部２２４は、その構成部のＩＤに対応する構成部のマニュアルデータを記憶部２４０から取得する（ステップＳ１２０３）。
【００７７】
そして、表示制御部２２３は、取得部２２４によって取得したマニュアルデータを、電子ペーパ２１０の表示部２１１に表示する（ステップＳ１２０４）。
【００７８】
このように、本実施の形態にかかる表示処理システムは、携帯可能な表示装置２０００を複合機１０００の構成部に近接させることで、表示装置２０００がその構成部の近傍に設けられたＲＦＩＤタグ１０１ａ〜１０６ａから構成部のＩＤを受信し、表示装置２０００において受信した構成部のＩＤの認証が成功すると、記憶部２４０に記憶されているその構成部のマニュアルデータを表示部２１１に表示する。これにより、マニュアルを表示したい構成部に表示装置２０００を近接させるだけで、検索を要することなく閲覧を所望する構成部のマニュアルデータを得ることができる。また、表示装置２０００に、薄くて軽量で、かつ表示された文字等を認識し易い電子ペーパ２１０を利用することで、携帯性、即時性、および視認性を備え、高齢者や弱視者も利用し易くなる。
【００７９】
（第３の実施の形態）
第１の実施の形態にかかる表示処理システムは、表示装置を画像処理装置の構成部に近接させることで、画像処理装置に記憶されている構成部の情報を表示装置が受信して表示するものであったが、第３の実施の形態にかかる表示処理システムでは、表示装置を画像処理装置の構成部に近接させることで、表示装置が構成部の識別情報を受信して、サーバに記憶されている構成部の情報を受信し、表示するものである。
【００８０】
図１３は、第３の実施の形態にかかる表示処理システムの構成を示すブロック図である。図１３に示すように、本実施の形態にかかる表示処理システムは、複合機１０００、表示装置３０００、およびサーバ１３００によって構成されている。また、表示装置３０００とサーバ１３００は、電話回線、無線ネットワーク、インターネットなどのネットワーク５００によって接続されている。本実施の形態では、本発明の画像処理装置を、第１の実施の形態と同様、複合機に適用した例を示す。
【００８１】
まず、複合機１０００の詳細については、第２の実施の形態にかかる複合機の構成および機能と同様であるため説明を省略する。
【００８２】
次に、表示装置３０００の詳細について説明する。表示装置３０００は、利用者が容易に携帯可能な大きさと重量で構成されており、後述するサーバ１３００に記憶されている情報を受信して表示するものである。また、表示装置３０００は、第１の実施の形態と同様に、表示部２１１を有する電子ペーパ２１０と制御部２２００とから主に構成されている。ここで、表示部２１１を有する電子ペーパ２１０の構成および機能については、第１の実施の形態と同様であるため説明を省略する。
【００８３】
制御部２３００は、ＩＤ記憶部２３０と、ＲＦＩＤ検知部２２１と、認証部２２７と、送受信部２２５と、表示制御部２２３とを主に備えている。ここで、ＩＤ記憶部２３０と、ＲＦＩＤ検知部２２１と、認証部２２７は、第１の実施の形態の構成および機能と同様であるため、説明を省略する。
【００８４】
送受信部２２５は、認証部２２７によって構成部のＩＤの認証が成功した場合、その旨、その構成部のＩＤ、およびその構成部のマニュアルデータの要求を、サーバ１３００に送信するものである。また、送受信部２２５は、認証部２２７によって構成部のＩＤの認証が成功した旨、その構成部のＩＤ、およびその構成部のマニュアルデータの要求を受けたサーバ１３００から、要求した構成部のマニュアルデータを受信する。なお、例えば、送受信部２２５は、第１の実施の形態と同様、ＩＥＥＥ８０２．１１等の無線ＬＡＮの通信プロトコルに従って通信を行っている。また、これに限定されることなく、マニュアルデータ等を送受信できるプロトコルであれば、いずれの通信プロトコルを使用してもよい。
【００８５】
表示制御部２２３は、送受信部２２５によって受信したマニュアルデータを、電子ペーパ２１０の表示部２１１に表示する制御を行うものである。
【００８６】
次に、サーバ１３００の詳細について説明する。サーバ１３００は、表示装置３０００からの要求に応じて、サーバ１３００に記憶されている情報を表示装置３０００に送信するものである。サーバ１３００は、記憶部１３４０と、送受信部１３０１と、取得部１３０２と、更新部１３０３とから主に構成されている。
【００８７】
記憶部１３４０は、複合機１０００における構成部に関する説明であるマニュアルデータを記憶している。すなわち、ＡＤＦ１０１に対応するマニュアルデータ、スキャナ部１０２に対応するマニュアルデータ等、それぞれの構成部に対応するマニュアルデータを記憶している。このマニュアルデータは、各構成部の機能の説明や操作方法、トラブルに対する対処方法等が記載されている。また、記憶部１３４０は、複合機種別と、各構成部のＩＤと、その構成部のマニュアルファイル名とを対応付けた対応付テーブルを記憶している。この記憶部１３４０に記憶されている対応付テーブルは、第２の実施の形態における対応付テーブル（図１１参照）と同様である。
【００８８】
送受信部１３０１は、ＲＦＩＤタグ１０１ａ〜１０６ａから表示装置２００に送信された構成部のＩＤが表示装置３０００において認証され、その認証が成功した旨、その構成部のＩＤ、およびその構成部のマニュアルデータの要求を表示装置３０００から受信するものである。また、送受信部１３０１は、後述する取得部１３０２により取得したマニュアルデータを表示装置３０００に送信するものである。
【００８９】
取得部１３０２は、送受信部１３０１によって、ＲＦＩＤタグから送信された構成部のＩＤの認証が成功した旨、その構成部のＩＤ、およびその構成部のマニュアルデータの要求を受信した場合に、認証が成功した構成部のＩＤをキーとして、記憶部１３４０から、認証が成功した構成部のＩＤに対応したマニュアルファイル名が示すマニュアルデータを、要求された構成部のマニュアルデータとして取得するものである。
【００９０】
更新部１３０３は、記憶部１３４０に記憶されているマニュアルデータを定期的に、または不定期に更新するものである。
【００９１】
次に、以上のように構成された表示処理システムによる表示処理について説明する。図１４は、第３の実施の形態にかかる表示処理システムによる表示処理の手順を示すシーケンス図である。
【００９２】
まず、ＲＦＩＤタグによる構成部のＩＤの送信から認証部２２７による認証までの処理は（ステップＳ１４０１、１４０２）、第１の実施の形態における処理と同様であるため説明を省略する（ステップＳ５０１、５０２）。
【００９３】
認証部２２７による構成部のＩＤの認証が成功した場合、表示装置３０００の送受信部２２５は、その旨、構成部のＩＤ、および構成部のマニュアルデータの要求を、サーバ１３００に送信し（ステップＳ１４０３）、サーバ１３００の送受信部１３０１が受信する。次に、送受信部１３０１により送信した構成部のＩＤの認証が成功した旨、構成部のＩＤ、および構成部のマニュアルデータの要求を受信すると、取得部１３０２は、受信した構成部のＩＤに対応する構成部のマニュアルデータを記憶部１３４０から取得する（ステップＳ１４０４）。
【００９４】
そして、送受信部１３０１は、取得部１３０２により取得した構成部のマニュアルデータを表示装置３０００に送信し（ステップＳ１４０５）、表示装置３０００の送受信部２２５がマニュアルデータを受信する。次に、表示制御部２２３は、送受信部２２５によって受信したマニュアルデータを、電子ペーパ２１０の表示部２１１に表示する（ステップＳ１４０６）。
【００９５】
このように、本実施の形態にかかる表示処理システムは、携帯可能な表示装置３０００を複合機１０００の構成部に近接させることで、表示装置３０００がその構成部の近傍に設けられたＲＦＩＤタグ１０１ａ〜１０６ａから構成部のＩＤを受信し、表示装置３０００において受信した構成部のＩＤの認証が成功すると、サーバ１３００にマニュアルデータ要求送信を行い、サーバ１３００からその構成部のマニュアルデータを受信し、表示部２１１に表示する。これにより、マニュアルを表示したい構成部に表示装置２００を近接させるだけで、検索を要することなく閲覧を所望する構成部のマニュアルデータを得ることができる。また、表示装置３０００に、薄くて軽量で、かつ表示された文字等を認識し易い電子ペーパ２１０を利用することで、携帯性、即時性、および視認性を備え、高齢者や弱視者も利用し易くなる。さらに、サーバ１３００に記憶されている各構成部のマニュアルデータは、定期的または不定期に更新されるため、利用者は更新された新しいマニュアルデータを得ることができ、例えば、複合機１０００の販売直前にマニュアルデータを変更したり、販売後にトラブルの対処法を追加することが可能になる。
【００９６】
図１５は、第１〜３の実施の形態にかかる複合機のハードウェア構成を示すブロック図である。本図に示すように、この複合機１００、１０００は、コントローラ１０とエンジン部（Engine）６０とをＰＣＩ（Peripheral Component Interconnect）バスで接続した構成となる。コントローラ１０は、複合機１００、１０００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００９７】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００９８】
ＣＰＵ１１は、複合機１００、１０００の全体制御をおこなうものであり、ＮＢ１３、ＭＥＭ−Ｐ１２およびＳＢ１４からなるチップセットを有し、このチップセットを介して他の機器と接続される。
【００９９】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１００】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１０１】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１０２】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部２０はＡＳＩＣ１６に直接接続されている。
【０１０３】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【０１０４】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１０５】
なお、第１の実施の形態の複合機１００、１０００で実行される表示処理プログラムは、ＲＯＭ等に予め組み込まれて提供される。
【０１０６】
第１の実施の形態の複合機１００で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０１０７】
さらに、第１の実施の形態の複合機１００で実行される表示処理プログラムを、インターネット等のネットワークに接続されたコンピュータ上に格納し、ネットワーク経由でダウンロードさせることにより提供するように構成しても良い。また、第１の実施の形態の複合機１００で実行される表示処理プログラムをインターネット等のネットワーク経由で提供または配布するように構成しても良い。
【０１０８】
第１の実施の形態の複合機１００で実行される表示処理プログラムは、上述した各部（取得部、送受信部）を含むモジュール構成となっており、実際のハードウェアとしてはＣＰＵ（プロセッサ）が上記ＲＯＭから表示処理プログラムを読み出して実行することにより上記各部が主記憶装置上にロードされ、取得部、送受信部が主記憶装置上に生成されるようになっている。
【０１０９】
（第４の実施の形態）
第１の実施の形態にかかる表示処理システムは、表示装置を画像処理装置の構成部に近接させることで、画像処理装置に記憶されている構成部の情報を表示装置が受信して表示するものであったが、第４の実施の形態にかかる表示処理システムでは、予めサーバに記憶されている閲覧対象物の情報を一括受信して保存し、表示装置を閲覧対象物に近接させることで、表示装置が閲覧対象物の識別情報を受信し、その受信ごとに保存してある閲覧対象物の情報を表示するものである。
【０１１０】
図１６は、第４の実施の形態にかかる表示処理システムの構成を示すブロック図である。図１６に示すように、本実施の形態にかかる表示処理システムは、ＲＦＩＤタグ６０１〜６０ｍ、表示装置４０００、およびサーバ１６００によって構成されている。また、表示装置４０００とサーバ１６００は、電話回線、無線ネットワーク、インターネットなどのネットワーク５００によって接続されている。本実施の形態では、美術館において表示処理システムを適用した例を示し、閲覧される絵画等の作品の近傍にＲＦＩＤタグを設けて、閲覧者が所持する表示装置で絵画の説明文書データ（閲覧対象物の情報）を表示するものである。
【０１１１】
まず、ＲＦＩＤタグ６０１〜６０ｍの説明をする。ＲＦＩＤタグ６０１〜６０ｍは、美術館における閲覧対象物である絵画等の作品の近傍に、それぞれの作品に対応して設けられており、図示しないメモリと送受信部からなるＩＣチップ、アンテナとを備えている。ＲＦＩＤタグ６０１〜６０ｍは、メモリが絵画等の各作品に固有の識別情報であるＩＤを記憶し、送受信部がアンテナを介して所定の範囲内にある表示装置４０００から信号を受信した場合に、作品のＩＤを表示装置４０００に送信するパッシブ型のＲＦＩＤタグである。
【０１１２】
次に、表示装置４０００の詳細について説明する。表示装置４０００は、利用者が容易に携帯可能な大きさと重量で構成されており、サーバ１６００から受信した情報を、表示装置４０００に一旦保存し、その保存した情報を表示するものである。また、表示装置４０００は、第１の実施の形態と同様に、表示部２１１を有する電子ペーパ２１０と制御部２４００とから主に構成されている。ここで、表示部２１１を有する電子ペーパ２１０の構成および機能については、第１の実施の形態と同様であるため説明を省略する。
【０１１３】
制御部２４００は、ＩＤ記憶部２５０と、記憶部２６０と、送受信部２２６と、ＲＦＩＤ検知部２２１と、認証部２２８と、取得部２２９と、表示制御部２２３とを主に備えている。
【０１１４】
ＩＤ記憶部２５０は、絵画等の作品のＩＤを記憶するものである。図１７は、ＩＤ記憶部２５０に記憶されている絵画等の作品のＩＤの一例を示す図である。図１７に示すように、ＩＤ記憶部２５０には、絵画等の作品のＩＤ（００１、００２）を記憶している。
【０１１５】
記憶部２６０は、美術館における閲覧対象物の絵画等の作品に関する説明である説明文書データ（関連情報）を保存している。すなわち、それぞれの各作品に対応する説明文書データを記憶している。この作品の説明文書データは、作品の製作年月日、製作者のプロフィール等の作品にまつわる情報が記載されている。また、記憶部２６０は、各作品のＩＤとその作品の説明文書ファイル名（関連識別情報）とを対応付けた対応付テーブルを保存している。図１８は、記憶部２６０に記憶されている対応付テーブルの一例を示す図である。図１８に示すように、対応付テーブルは、各作品のＩＤ（００１、００２等）と、説明文書ファイル名（Ｇ０１.doc、Ｇ０２.doc等）とを対応させて記憶している。なお、この説明文書と対応付テーブルは、後述するサーバ１６００から受信したものを、記憶部２６０に保存したものである。
【０１１６】
送受信部２２６は、ＲＦＩＤ６０１〜６０ｍに対応する作品全ての説明文書データと対応付テーブルとを要求する説明文書データ等の要求をサーバ１６００に送信するものである。また、ＲＦＩＤ６０１〜６０ｍに対応する作品全ての説明文書データと対応付テーブルをサーバ１６００から一括受信し、記憶部２６０に保存するものである。なお、例えば、送受信部２２６は、第１の実施の形態と同様、ＩＥＥＥ８０２．１１等の無線ＬＡＮの通信プロトコルに従って通信を行っている。また、これに限定されることなく、マニュアルデータ等を送受信できるプロトコルであれば、いずれの通信プロトコルを使用してもよい。
【０１１７】
ＲＦＩＤ検知部２２１は、表示装置４０００を絵画等の作品の近傍に設けられたＲＦＩＤタグ６０１〜６０ｍに近接させることで、表示装置４０００から所定の範囲内に位置するＲＦＩＤタグ６０１〜６０ｍから送信された作品のＩＤを検知するものである。すなわち、ＲＦＩＤ検知部２２１３は、通信距離内のＲＦＩＤタグ６０１〜６０ｍに信号を発信し、信号を受信したＲＦＩＤタグ６０１〜６０ｍから作品のＩＤが送信されると、送信された作品のＩＤを非接触で検知する。なお、ＲＦＩＤ検知部２２１は、表示装置４０００がＲＦＩＤタグ１０１ａ〜１０６ａの通信距離内に近接された場合に、一定間隔で発信されているアクティブ型のＲＦＩＤタグ１０１ａ〜１０６ａから作品のＩＤを検知するように構成してもよい。
【０１１８】
認証部２２８は、ＲＦＩＤ検知部２２１によっていずれかのＲＦＩＤタグから送信された作品のＩＤを検知すると、ＩＤ記憶部２５０を参照して、検知した作品のＩＤが記憶されているか否かの認証を行うものである。
【０１１９】
取得部２２９は、認証部２２８によって、ＲＦＩＤタグから送信された作品のＩＤの認証が成功した場合に、認証が成功した作品のＩＤをキーとして、記憶部２６０から、認証が成功した作品のＩＤに対応した説明文書ファイル名が示す説明文書データを取得する。
【０１２０】
表示制御部２２３は、取得部２２９によって取得した説明文書データを、電子ペーパ２１０の表示部２１１に表示する制御を行うものである。
【０１２１】
次に、サーバ１６００の詳細について説明する。サーバ１６００は、表示装置４０００からの要求に応じて、サーバ１６００に記憶されている情報を表示装置４０００に送信するものである。サーバ１６００は、記憶部１６４０と、送受信部１６０１と、更新部１６０２とから主に構成されている。
【０１２２】
記憶部１６４０は、記憶部２６０と同様に、美術館における閲覧対象物の絵画等の作品に関する説明である説明文書データと、各作品のＩＤとその作品の説明文書ファイル名とを対応付けた対応付テーブルを保存している。この記憶部１６４０に記憶されている対応付テーブルは、記憶部２６０における対応付テーブル（図１８参照）と同様である。
【０１２３】
送受信部１６０１は、説明文書データと対応付テーブルとを要求する説明文書データ等の要求を表示装置４０００から受信するものである。また、ＲＦＩＤ６０１〜６０ｍに対応する作品全ての説明文書データと対応付テーブルを表示装置４０００に一括送信する。
【０１２４】
更新部１６０２は、記憶部１６４０に記憶されている説明文書データを定期的に、または不定期に更新するものである。
【０１２５】
次に、以上のように構成された表示処理システムによる表示処理について説明する。図１９は、第４の実施の形態にかかる表示処理システムによる表示処理の手順を示すシーケンス図である。
【０１２６】
まず、美術館の入り口において、表示装置４０００の送受信部２２６は、ＲＦＩＤ６０１〜６０ｍに対応する作品全ての説明文書データと対応付テーブルとを要求する説明文書データ等の要求をサーバ１６００に送信し（ステップＳ１９０１）、サーバ１６００の送受信部１６０１は、説明文書データと対応付テーブルとを要求する説明文書データ等の要求を受信する。そして、サーバ１６００の送受信部１６０１は、ＲＦＩＤ６０１〜６０ｍに対応する作品全ての説明文書データと対応付テーブルを表示装置４０００に一括送信し（ステップＳ１９０２）、表示装置４０００の送受信部２２６は、ＲＦＩＤ６０１〜６０ｍに対応する作品全ての説明文書データと対応付テーブルをサーバ１６００から一括受信する。そして、表示装置４０００の送受信部２２６は、受信したＲＦＩＤ６０１〜６０ｍに対応する作品全ての説明文書データと対応付テーブルを記憶部２６０に保存する（ステップＳ１９０３）。
【０１２７】
次に、表示装置４０００を所持した利用者は、美術館内の作品を閲覧するために移動すると、閲覧する作品の近傍に設けられたＲＦＩＤタグ、例えばＲＦＩＤタグ６０１に表示装置４０００が近接する。表示装置４０００が通信距離内のＲＦＩＤタグ６０１に信号を発信すると、その信号を受信したＲＦＩＤタグ６０１は、作品のＩＤを表示装置４０００に送信し（ステップＳ１９０４）、ＲＦＩＤタグ６０１から送信された作品のＩＤを、表示装置４０００のＲＦＩＤ検知部２２１が検知する。次に、認証部２２８は、ＩＤ記憶部２５０を参照して、検知された作品のＩＤが記憶されているか否かの認証を行う（ステップＳ１９０５）。
【０１２８】
次に、認証部２２８による作品のＩＤの認証が成功した場合、表示装置４０００の取得部２２９は、ＲＦＩＤタグ６０１の近傍にある作品のＩＤに対応する作品の説明文書データを記憶部２６０から取得する（ステップＳ１９０６）。そして、表示制御部２２３は、取得部２２９によって取得したＲＦＩＤタグ６０１の近傍にある作品の説明文書データを、電子ペーパ２１０の表示部２１１に表示する（ステップＳ１９０７）。
【０１２９】
次に、表示装置４０００を所持した利用者が次の作品を閲覧するために移動すると、閲覧する作品の近傍に設けられたＲＦＩＤタグ、例えばＲＦＩＤタグ６０２に表示装置４０００が近接する。表示装置４０００が通信距離内のＲＦＩＤタグ６０２に信号を発信すると、その信号を受信したＲＦＩＤタグ６０２は、作品のＩＤを表示装置４０００に送信し（ステップＳ１９０８）、ＲＦＩＤタグ６０２から送信された作品のＩＤを、表示装置４０００のＲＦＩＤ検知部２２１が検知する。次に、認証部２２８は、ＩＤ記憶部２５０を参照して、検知された作品のＩＤが記憶されているか否かの認証を行う（ステップＳ１９０９）。
【０１３０】
次に、認証部２２８による作品のＩＤの認証が成功した場合、表示装置４０００の取得部２２９は、ＲＦＩＤタグ６０２の近傍にある作品のＩＤに対応する作品の説明文書データを記憶部２６０から取得する（ステップＳ１９１０）。そして、表示制御部２２３は、取得部２２９によって取得したＲＦＩＤタグ６０２の近傍にある作品の説明文書データを、電子ペーパ２１０の表示部２１１に表示する（ステップＳ１９１１）。そして、さらに次に作品へ移動すると、上記と同様に、次の作品の近傍に設けられたＲＦＩＤタグから作品のＩＤを表示装置４０００へ送信し、その作品の説明文書データを表示する。
【０１３１】
ここで、本実施の形態にかかる表示処理システムの使用例について説明する。図２０は、本実施の形態にかかる表示処理システムの使用状態を示す図である。図２０は、利用者が表示装置４０００を所持しながら、作品を閲覧するために移動している状態である。図２０に示すように、利用者が作品を閲覧しながら、その作品の説明文書を読めるようにする場合、利用者が表示装置４０００を所持しながら移動して作品に近接すると、その作品の近傍に設けられたＲＦＩＤタグ６０１に表示装置４０００が近接し、その作品の説明文書データが表示装置４０００に表示される。これにより、利用者は、説明文書の検索を行わなくとも、作品を閲覧しながら説明文書を読むことができる。
【０１３２】
このように、本実施の形態にかかる表示処理システムは、まず、サーバ１６００からその作品の説明文書データを一括受信し、表示装置４０００に保存しておく。そして、携帯可能な表示装置４０００を閲覧対象物である絵画等の作品に近接させることで、表示装置４０００がその作品の近傍に設けられたＲＦＩＤタグ６０１〜６０ｍから作品のＩＤを受信し、表示装置４０００において受信した作品のＩＤの認証が成功すると、保存されているその作品の説明文書データを表示部２１１に表示する。これにより、説明文書を表示したい作品に表示装置４０００が近接するだけで、検索を要することなく閲覧を所望する作品の説明文書データを得ることができる。また、表示装置４０００には、薄くて軽量で、かつ表示された文字等を認識し易い電子ペーパ２１０を利用することで、携帯性、即時性、および視認性を備え、高齢者や弱視者も利用し易くなる。さらに、サーバ１６００に記憶されている各作品の説明文書データは、定期的または不定期に更新されるため、利用者は更新された新しい説明文書データを得ることができ、例えば、作品の変更に伴い説明文書データを変更したり、作品が増えた場合に説明文書データを追加することが可能になる。
【０１３３】
図２１は、第１〜４の実施形態の表示装置のハードウェア構成を示す図である。第１〜４の実施の形態の表示装置は、ＣＰＵ（Central Processing Unit）５００１などの制御装置と、ＲＯＭ（Read Only Memory）５００２やＲＡＭ（Random Access Memory）５００３などの記憶装置と、ＨＤＤ（Hard Disk Drive）、ＣＤドライブ装置などの外部記憶装置５００４と、ディスプレイ装置などの表示装置５００５（電子ペーパー）と、キーボードやマウスなどの入力装置５００６と、通信Ｉ／Ｆ５００７と、これらを接続するバス５００８を備えており、通常のコンピュータを利用したハードウェア構成となっている。
【０１３４】
第１〜４の実施の形態の表示装置で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１３５】
また、第１〜４の実施の形態の表示装置で実行される表示処理プログラムを、インターネット等のネットワークに接続されたコンピュータ上に格納し、ネットワーク経由でダウンロードさせることにより提供するように構成しても良い。また、第１〜４の実施の形態の表示装置で実行される表示処理プログラムをインターネット等のネットワーク経由で提供または配布するように構成しても良い。
【０１３６】
また、第１〜４の実施の形態の表示処理プログラムを、ＲＯＭ等に予め組み込んで提供するように構成してもよい。第１〜４の実施の形態の表示装置で実行される表示処理プログラムは、上述した各部（ＲＦＩＤ検知部、送受信部、認証部、取得部、表示制御部）を含むモジュール構成となっており、実際のハードウェアとしてはＣＰＵ（プロセッサ）が上記記憶媒体から表示処理プログラムを読み出して実行することにより上記各部が主記憶装置上にロードされ、ＲＦＩＤ検知部、送受信部、認証部、取得部、表示制御部が主記憶装置上に生成されるようになっている。
【図面の簡単な説明】
【０１３７】
【図１】第１の実施の形態にかかる表示処理システムの構成を示すブロック図である。
【図２】記憶部１２０に記憶されている対応付テーブルの一例を示す図である。
【図３】表示装置２００の構成を示す模式図である。
【図４】ＩＤ記憶部２３０に記憶されているテーブルの一例を示す図である。
【図５】第１の実施の形態にかかる表示処理システムによる表示処理の手順を示すシーケンス図である。
【図６】第１の実施の形態にかかる表示処理システムの使用状態を示す図である。
【図７】第１の実施の形態にかかる表示処理システムを空調設備装置に適用した場合の使用状態を示す図である。
【図８】第１の実施の形態にかかる表示処理システムを自動車に適用した場合の使用状態を示す図である。
【図９】第１の実施の形態にかかる表示処理システムを人体の模型に適用した場合の使用状態を示す図である。
【図１０】第２の実施の形態にかかる表示処理システムの構成を示すブロック図である。
【図１１】記憶部２４０に記憶されている対応付テーブルの一例を示す図である。
【図１２】第２の実施の形態にかかる表示処理システムによる表示処理の手順を示すシーケンス図である。
【図１３】第３の実施の形態にかかる表示処理システムの構成を示すブロック図である。
【図１４】第３の実施の形態にかかる表示処理システムによる表示処理の手順を示すシーケンス図である。
【図１５】第１〜３の実施の形態にかかる複合機のハードウェア構成を示すブロック図である。
【図１６】第４の実施の形態にかかる表示処理システムの構成を示すブロック図である。
【図１７】ＩＤ記憶部２５０に記憶されている絵画等の作品のＩＤの一例を示す図である。
【図１８】記憶部２６０に記憶されている対応付テーブルの一例を示す図である。
【図１９】第４の実施の形態にかかる表示処理システムによる表示処理の手順を示すシーケンス図である。
【図２０】第４の実施の形態にかかる表示処理システムの使用状態を示す図である。
【図２１】第１〜４の実施形態の表示装置のハードウェア構成を示す図である。
【符号の説明】
【０１３８】
１００，１０００  複合機
１０１  ＡＤＦ
１０２  スキャナ部
１０３  プリンタ部
１０４  排紙部
１０５  紙送り部
１０６  給紙部
１０１ａ，１０２ａ，１０３ａ，１０４ａ，１０５ａ，１０６ａ，６０１，６０２，６０３，６０４…６０ｍ  ＲＦＩＤタグ
１１０，２２４，２２９，１３０２  取得部
１１１，２２２，２２５，２２６，１３０１，１６０１  送受信部
１２０，２４０，１３４０，１６４０  記憶部
２００，２０００，３０００，４０００  表示装置
２１０  電子ペーパ
２１１  表示部
２２０，２２００，２３００，２４００  制御部
２２１  ＲＦＩＤ検知部
２２３  表示制御部
２２７，２２８  認証部
２３０  ＩＤ記憶部
５００  ネットワーク
１３００，１６００  サーバ
１３０３，１６０２  更新部
【図１】
2007274512.tif 000003
【図２】
2007274512.tif 000004
【図３】
2007274512.tif 000005
【図４】
2007274512.tif 000006
【図５】
2007274512.tif 000007
【図６】
2007274512.tif 000008
【図７】
2007274512.tif 000009
【図８】
2007274512.tif 000010
【図１０】
2007274512.tif 000011
【図１１】
2007274512.tif 000012
【図１２】
2007274512.tif 000013
【図１３】
2007274512.tif 000014
【図１４】
2007274512.tif 000015
【図１５】
2007274512.tif 000016
【図１６】
2007274512.tif 000017
【図１７】
2007274512.tif 000018
【図１８】
2007274512.tif 000019
【図１９】
2007274512.tif 000020
【図２０】
2007274512.tif 000021
【図２１】
2007274512.tif 000022
【図９】
2007274512.tif 000023